(57)【要約】【課題】煩雑な作業を伴うことなく検査対象の電気特性検査を行う。【解決手段】電気特性検査を行う対象となる検査対象物２と、検査対象物２に設けられ電気特性検査の開始を指示する操作表示機器との間で所定の無線通信方式を用いた無線通信を行う無線通信用モジュール４６と、検査対象物２に設けられ無線通信用モジュール４６からの指示を受けて検査対象物２の電気特性検査を行う検査制御部４５と、を備えた電気特性検査システム１を構成する。無線通信用モジュール４６は、電気特性検査での検査結果を、所定の無線通信方式を用いた無線通信によって操作表示機器５０に送信し、操作表示機器５０にはその検査結果が表示される。【選択図】図１
2018084456.tif 000002
【特許請求の範囲】
【請求項１】
電気特性検査を行うための電気特性検査システムであって、
前記電気特性検査を行う対象となる検査対象物と、
前記検査対象物に設けられ、前記電気特性検査の開始を指示する操作表示機器との間で所定の無線通信方式を用いた無線通信を行う無線通信用モジュールと、
前記検査対象物に設けられ、前記無線通信用モジュールからの指示を受けて前記検査対象物の前記電気特性検査を行う検査制御部と、
を備え、
前記無線通信用モジュールは、前記電気特性検査での検査結果を、前記所定の無線通信方式を用いた無線通信によって前記操作表示機器に送信し、
前記操作表示機器には、前記検査結果が表示されることを特徴とする、電気特性検査システム。
【請求項２】
請求項１に記載の電気特性検査システムにおいて、
前記所定の無線通信方式は、Ｂｌｕｅｔｏｏｔｈ（登録商標）通信方式であることを特徴とする、電気特性検査システム。
【請求項３】
請求項１又は請求項２に記載の電気特性検査システムにおいて、
前記検査対象物は、
回路基板と、
前記回路基板に実装された第１コネクタと、
前記第１コネクタと嵌合する第２コネクタと、
を有し、
前記電気特性検査では、前記第１コネクタ及び前記第２コネクタの嵌合状態が検査されることを特徴とする、電気特性検査システム。
【請求項４】
請求項３に記載の電気特性検査システムにおいて、
一端が前記検査制御部の第１端子に接続された第１電流路と、
一端が前記検査制御部の第２端子に接続された第２電流路と、
前記第１コネクタ及び前記第２コネクタが嵌合した状態において、一端が前記第１電流路の他端に接続されるとともに他端が前記第２電流路の他端に接続される第３電流路と、
を更に備え、
前記検査制御部は、前記第１電流路の前記一端と前記第２電流路の前記一端との間の導通検査を、前記電気特性検査として行うことを特徴とする、電気特性検査システム。
【請求項５】
請求項３に記載の電気特性検査システムにおいて、
前記検査対象物は、
複数の前記第１コネクタと、
それぞれが、複数の前記第１コネクタのそれぞれに嵌合する複数の前記第２コネクタと、
を有し、
一端が前記検査制御部の第１端子に接続された第１電流路と、
一端が前記検査制御部の第２端子に接続された第２電流路と、
各前記第１コネクタ及び各前記第２コネクタが嵌合した状態において、前記第１電流路の他端と前記第２電流路の他端とを電気的に接続する複数の第３電流路と、
を更に備え、
前記検査制御部は、前記第１電流路の前記一端と前記第２電流路の前記一端との間の導通検査を、前記電気特性検査として行うことを特徴とする、電気特性検査システム。
【請求項６】
請求項４又は請求項５に記載の電気特性検査システムにおいて、
前記第３電流路は、前記第２コネクタが有するコネクタハウジングに取り付けられた金属部材及びケーブルの少なくとも一方を有していることを特徴とする、電気特性検査システム。
【請求項７】
請求項１から請求項６のいずれか１項に記載の電気特性検査システムにおいて、
前記操作表示機器を更に備えていることを特徴とする、電気特性検査システム。
【請求項８】
検査対象物の電気特性検査を行うための電気特性検査方法であって、
操作表示機器が、所定の無線通信方式を用いた無線通信によって、前記検査対象物に設けられた無線通信用モジュールへ前記電気特性検査の開始を指示するステップと、
前記検査対象物に設けられた検査制御部が、前記無線通信用モジュールからの指示を受けて、前記検査対象物の前記電気特性検査を行うステップと、
前記無線通信用モジュールが、前記電気特性検査での検査結果を、前記所定の無線通信方式を用いた無線通信によって前記操作表示機器に送信するステップと、
前記操作表示機器が、前記検査結果を表示するステップと、
を含むことを特徴とする、電気特性検査方法。
【発明の詳細な説明】
【技術分野】
【０００１】
本発明は、検査対象物の電気特性検査を行うための電気特性検査システム、及び電気特性検査方法に関する。
【背景技術】
【０００２】
従来から知られている電気特性検査としては、例えば特許文献１に開示されるような電気的接続装置に対して行われる導通検査が知られている。この電気的接続装置では、一対のコネクタが互いに嵌合した状態において、一方のコネクタ側に設けられた嵌合検知端子と、他方のコネクタ側に設けられたショート端子とが接触する。この状態において、外部回路によって嵌合検知端子及びショート端子に所定の電圧を印加し、両者の間に電流が導通することを確認することにより、一対のコネクタが嵌合していることを検出することができる。
【先行技術文献】
【特許文献】
【０００３】
【特許文献１】特開２０１４−０５６７１８号公報
【発明の概要】
【発明が解決しようとする課題】
【０００４】
しかし、上述した特許文献１の場合、検査対象となる部分ごとに（特許文献１の場合、個々の電気的接続装置ごとに）導通検査を行う必要があるため、その作業が煩雑になってしまう。
【０００５】
本発明は、上記課題を解決するためのものであり、その目的は、煩雑な作業を伴うことなく検査対象の電気特性検査を行うことである。
【課題を解決するための手段】
【０００６】
（１）上記課題を解決するために、この発明のある局面に係る電気特性検査システムは、電気特性検査を行うための電気特性検査システムであって、前記電気特性検査を行う対象となる検査対象物と、前記検査対象物に設けられ、前記電気特性検査の開始を指示する操作表示機器との間で所定の無線通信方式を用いた無線通信を行う無線通信用モジュールと、前記検査対象物に設けられ、前記無線通信用モジュールからの指示を受けて前記検査対象物の前記電気特性検査を行う検査制御部と、を備え、前記無線通信用モジュールは、前記電気特性検査での検査結果を、前記所定の無線通信方式を用いた無線通信によって前記操作表示機器に送信し、前記操作表示機器には、前記検査結果が表示される。
【０００７】
この構成では、操作表示機器を用いて電気特性検査の開始を指示すると、所定の無線通信方式を用いた無線通信によって、前記電気特性検査を開始する旨の信号が、検査対象物に設けられた無線通信用モジュールに送信される。無線通信用モジュールが上記信号を受けると、検査制御部が、前記無線通信用モジュールからの指示を受けて、検査対象物の電気特性検査を行う。電気特性検査の検査結果は、前記所定の無線通信方式を用いた無線通信によって、無線通信用モジュールから操作表示機器へ通知される。操作表示機器には、その検査結果が表示される。
【０００８】
以上のように、この構成によれば、操作表示機器を用いて電気特性検査の開始を指示するだけで、検査対象物の電気特性検査が自動的に行われ、且つその検査結果を知ることができる。しかも、この構成によれば、検査を指示する側の機器である操作表示機器と検査対象物とをケーブル等で接続することなく、所定の無線通信方式を用いて相互に無線接続することができる。すなわち、この構成によれば、検査を指示する側の機器と検査対象物とを物理的に接続する必要がなくなるため、電気特性検査を行う際の手間を省くことができる。
【０００９】
従って、この構成によると、煩雑な作業を伴うことなく検査対象の電気特性検査を行うことができる。
【００１０】
（２）好ましくは、前記所定の無線通信方式は、Ｂｌｕｅｔｏｏｔｈ（登録商標）通信方式である。
【００１１】
この構成によれば、検査を指示する側の機器である操作表示機器と検査対象物とをケーブル等で接続することなく、汎用的に利用されているＢｌｕｅｔｏｏｔｈ通信方式を用いて相互に無線接続することができる。
【００１２】
（３）好ましくは、前記検査対象物は、回路基板と、前記回路基板に実装された第１コネクタと、前記第１コネクタと嵌合する第２コネクタと、を有し、前記電気特性検査では、前記第１コネクタ及び前記第２コネクタの嵌合状態が検査される。
【００１３】
この構成によれば、検査対象物が有する第１コネクタと第２コネクタとの嵌合状態を、煩雑な作業を伴うことなく検査することができる。
【００１４】
（４）更に好ましくは、前記電気特性検査システムは、一端が前記検査制御部の第１端子に接続された第１電流路と、一端が前記検査制御部の第２端子に接続された第２電流路と、前記第１コネクタ及び前記第２コネクタが嵌合した状態において、一端が前記第１電流路の他端に接続されるとともに他端が前記第２電流路の他端に接続される第３電流路と、を更に備え、前記検査制御部は、前記第１電流路の前記一端と前記第２電流路の前記一端との間の導通検査を、前記電気特性検査として行う。
【００１５】
この構成によれば、第１コネクタと第２コネクタとが嵌合すると、第１電流路、第２電流路、及び第３電流路で構成された導通検査用の電流路が形成される。第１コネクタと第２コネクタとが正常に嵌合している状態では、上述した各電流路の端部同士が接続された一続きの導通検査用の電流路が形成される。一方、第１コネクタと第２コネクタとが正常に嵌合していない状態では、上述した導通検査用の電流路の一部（具体的には、第１電流路の他端と第３電流路の一端との間、又は第２電流路の他端と第３電流路の他端との間）が開放された状態となる。このような検査用の電流路の両端（具体的には、第１電流路の一端及び第２電流路の一端）に対して導通検査を行うと、２つのコネクタが正常に嵌合している場合には微小な抵抗値が検出される。一方、２つのコネクタが半嵌合状態である場合には抵抗値が大きくなる。すなわち、この構成によれば、その抵抗値に応じて導通の有無を判定することで、一対のコネクタの嵌合状態を適切に検査することができる。
【００１６】
また、この構成によれば、検査対象物が複数の第１コネクタ及び複数の第２コネクタを有している場合、一対のコネクタのそれぞれについて導通検査を行うことができる。すなわち、この構成によれば、いずれのコネクタが半嵌合状態であるかを特定することができる。
【００１７】
（５）好ましくは、前記検査対象物は、複数の前記第１コネクタと、それぞれが、複数の前記第１コネクタのそれぞれに嵌合する複数の前記第２コネクタと、を有し、前記電気特性検査システムは、一端が前記検査制御部の第１端子に接続された第１電流路と、一端が前記検査制御部の第２端子に接続された第２電流路と、各前記第１コネクタ及び各前記第２コネクタが嵌合した状態において、前記第１電流路の他端と前記第２電流路の他端とを電気的に接続する複数の第３電流路と、を更に備え、前記検査制御部は、前記第１電流路の前記一端と前記第２電流路の前記一端との間の導通検査を、前記電気特性検査として行う。
【００１８】
この構成によれば、複数の第１コネクタと複数の第２コネクタとが嵌合すると、第１電流路、第２電流路、及び複数の第３電流路で構成された導通検査用の電流路が形成される。全ての第１コネクタと第２コネクタとが正常に嵌合している状態では、上述した各電流路の端部同士が接続された一続きの導通検査用の電流路が形成される。一方、検査対象物が有する複数の第１コネクタ及び複数の第２コネクタのうちいずれか１つでも正常に嵌合していない状態では、上述した導通検査用の電流路の一部が開放された状態となる。このような検査用の電流路の両端（具体的には、第１電流路の一端及び第２電流路の一端）に対して導通検査を行うと、全てのコネクタが正常に嵌合している場合には微小な抵抗値が検出される。一方、複数のコネクタのうちいずれか１つでも半嵌合状態である場合には抵抗値が大きくなる。すなわち、この構成によれば、複数のコネクタの嵌合状態を一度に纏めて検査することができる。
【００１９】
（６）好ましくは、前記第３電流路は、前記第２コネクタが有するコネクタハウジングに取り付けられた金属部材及びケーブルの少なくとも一方を有している。
【００２０】
この構成によれば、例えば第３電流路に用いられる金属部材をプレス加工によって形成することにより、所望の形状を有する第３電流路を容易に形成することができる。或いは、汎用的に用いられているケーブルを用いて、第３電流路を容易に形成することができる。
【００２１】
（７）好ましくは、前記電気特性検査システムは、前記操作表示機器を更に備えている。
【００２２】
この構成によれば、操作表示機器を更に備えた電気特性検査システムを構成することができる。
【００２３】
（８）上記課題を解決するために、この発明のある局面に係る電気特性検査方法は、検査対象物の電気特性検査を行うための電気特性検査方法であって、操作表示機器が、所定の無線通信方式を用いた無線通信によって、前記検査対象物に設けられた無線通信用モジュールへ前記電気特性検査の開始を指示するステップと、前記検査対象物に設けられた検査制御部が、前記無線通信用モジュールからの指示を受けて、前記検査対象物の前記電気特性検査を行うステップと、前記無線通信用モジュールが、前記電気特性検査での検査結果を、前記所定の無線通信方式を用いた無線通信によって前記操作表示機器に送信するステップと、前記操作表示機器が、前記検査結果を表示するステップと、を含む。
【００２４】
この方法では、操作表示機器を用いて電気特性検査の開始を指示すると、所定の無線通信方式を用いた無線通信によって、前記電気特性検査を開始する旨の信号が、検査対象物に設けられた無線通信用モジュールに送信される。無線通信用モジュールが上記信号を受けると、検査制御部が、前記無線通信用モジュールからの指示を受けて、検査対象物の電気特性検査を行う。電気特性検査の検査結果は、所定の無線通信方式を用いた無線通信によって、無線通信用モジュールから操作表示機器へ通知される。操作表示機器には、その検査結果が表示される。
【００２５】
以上のように、この方法によれば、操作表示機器を用いて電気特性検査の開始を指示するだけで、検査対象物の電気特性検査が自動的に行われ、且つその検査結果を知ることができる。しかも、この方法によれば、検査を指示する側の機器である操作表示機器と検査対象物とをケーブル等で接続することなく、所定の無線通信方式を用いて相互に無線接続することができる。すなわち、この方法によれば、検査を指示する側の機器と検査対象物とを物理的に接続する必要がなくなるため、電気特性検査を行う際の手間を省くことができる。
【００２６】
従って、この方法によると、煩雑な作業を伴うことなく検査対象の電気特性検査を行うことができる。
【発明の効果】
【００２７】
本発明によれば、煩雑な作業を伴うことなく検査対象の電気特性検査を行うことができる。
【図面の簡単な説明】
【００２８】
【図１】本発明の実施形態に係る電気特性検査システムの模式図である。
【図２】図１に示す電気特性検査システムが有する電気的接続装置の斜視図であって、該電気的接続装置が有する２つのコネクタが嵌合してない状態を示す図である。
【図３】図２において、各コネクタが有するハウジングの図示を省略して示す図であって、図３（Ａ）は、両コネクタが嵌合する前の状態を示す図、図３（Ｂ）は両コネクタの嵌合が完了した状態を示す図、である。
【図４】図１に示す実施形態に係る電気特性検査システムで行われる電気特性検査方法の一例を示すフローチャートである。
【図５】変形例に係る電気特性検査システムの模式図である。
【図６】図２に示す変形例に係る電気特性検査システムで行われる電気特性検査方法の一例を示すフローチャートである。
【図７】変形例に係る電気特性検査システムの模式図である。
【図８】変形例に係る電気特性検査システムの模式図である。
【図９】変形例に係る電気特性検査システムの模式図である。
【発明を実施するための形態】
【００２９】
以下、本発明を実施するための形態について図面を参照しつつ説明する。本発明は、電気特性検査対象物の電気特性検査を行うための電気特性検査システム、及び電気特性検査方法に広く適用できる。
【００３０】
［全体構成］
図１は、本発明の実施形態に係る導通検査システム１（電気特性検査システム）の模式図である。本実施形態に係る導通検査システム１は、図１に示すように、導通検査対象物２と、導通検査対象物２に搭載されたＰＩＣマイコン４５（検査制御部）及びＢｌｕｅｔｏｏｔｈモジュール４６（無線通信用モジュール）と、操作表示機器５０とを備えている。そして、導通検査対象物２及び操作表示機器５０には、それぞれ、Ｂｌｕｅｔｏｏｔｈ（登録商標）通信方式を用いた無線通信を実行可能なＢｌｕｅｔｏｏｔｈモジュール４６，５１が搭載されている。導通検査対象物２及び操作表示機器５０は、Ｂｌｕｅｔｏｏｔｈモジュール４６，５１を介して互いに無線通信可能に構成されている。
【００３１】
なお、以下では、Ｂｌｕｅｔｏｏｔｈモジュール４６を、検査対象側ＢＴモジュール４６と称し、Ｂｌｕｅｔｏｏｔｈモジュール５１を、検査指示側ＢＴモジュール５１と称する。また、以下では、検査制御部としてＰＩＣマイコン４５を例示しているが、これに限らず、検査制御部としてその他のマイコンを採用することもできる。また、以下では、２つのモジュール４６，５１の間で行われる無線通信方式の一例としてＢｌｕｅｔｏｏｔｈ通信方式を挙げて説明しているが、これに限らず、その他の無線通信方式（例えばＷｉ−Ｆｉ等）が採用されてもよい。
【００３２】
検査対象側ＢＴモジュール４６は、導通検査対象物２が有する回路基板３に実装されている。検査対象側ＢＴモジュール４６は、該検査対象側ＢＴモジュール４６に接続されたアンテナ４７を介して、アンテナ５２が接続された検査指示側ＢＴモジュール５１と、Ｂｌｕｅｔｏｏｔｈ通信方式を用いた無線通信を行うことができる。具体的には、検査対象側ＢＴモジュール４６は、検査指示側ＢＴモジュール５１から、導通検査対象物２に対して導通検査を行う旨の指示信号（検査指示信号Ｓａ）を受信する。また、検査対象側ＢＴモジュール４６は、導通検査対象物２に対して導通検査を行った検査結果を、検査指示側ＢＴモジュール５１へ通知する。なお、図１では、各アンテナ４７，５２がＢＴモジュール４６，５１に外付けされている例を図示しているが、これに限らず、アンテナ内蔵型のＢＴモジュールを用いてもよい。
【００３３】
ＰＩＣマイコン４５は、導通検査対象物２が有する回路基板３に実装されている。ＰＩＣマイコン４５は、複数の第１端子４５ａ及び第２端子４５ｂを有している。第１端子４５ａは、詳しくは後述する第１電流路１１の一端１１ａに接続され、第２端子４５ｂは、詳しくは後述する第２電流路１２の一端１２ａに接続されている。なお、図１に示す例では、ＰＩＣマイコン４５の端子の数が６である例を図示しているが、これに限らず、ＰＩＣマイコン４５の端子の数は、いくつであってもよい。また、図１に示す例では、ＰＩＣマイコン４５が有する端子が、全て第１電流路１１又は第２電流路１２に接続されている例を図示しているが、これに限らない。具体的には、ＰＩＣマイコン４５が有する端子は、導通検査を行うための電流路（具体的には、第１電流路１１及び第２電流路１２）以外の電流路に接続されていてもよい。ＰＩＣマイコン４５は、検査対象側ＢＴモジュール４６が検査指示側ＢＴモジュール５１から検査指示信号Ｓａを受信すると、導通検査対象物２の導通検査を行う。
【００３４】
導通検査対象物２は、回路基板３と、回路基板３上に形成された複数の電流路（具体的には、第１電流路１１、第２電流路１２、及び第３電流路１３）と、複数の電気的接続装置４（具体的には、第１電気的接続装置４ａ、第２電気的接続装置４ｂ、及び第３電気的接続装置４ｃ）と、を有している。各電気的接続装置４は、回路基板３に実装された第１コネクタ５と、第１コネクタ５と嵌合する第２コネクタ６とを有している。なお、以下では、各電気的接続装置を区別せずに説明するときには、電気的接続装置の符号として４を用い、各電気的接続装置を区別して説明するときには、電気的接続装置の符号として４ａ，４ｂ，４ｃを用いることとする。
【００３５】
回路基板３には、図示は省略するが、導通検査対象物２がその機能を発揮するための種々の部品が実装されている。例えば一例として、導通検査対象物２として、各種実装部品（マイコン、コンデンサ等）が適宜実装された自動車のエンジンコントロールユニットを挙げることができる。そして、回路基板３には、上述した検査対象側ＢＴモジュール４６及びＰＩＣマイコン４５も実装されている。
【００３６】
第１電流路１１は、導通検査対象物２が有する３つの電気的接続装置４のそれぞれに対応して設けられている。すなわち、本実施形態では、３つの第１電流路１１が設けられている。各第１電流路１１は、図１に示すように、回路基板３と第１コネクタ５との間に跨って形成された電流路である。第１電流路１１では、その一端１１ａが、詳しくは後述するＰＩＣマイコン４５の第１端子４５ａに接続されている。一方、第１電流路１１では、他端１１ｂが、第２コネクタ６に設けられた第３電流路１３の一端１３ａと接続可能である。具体的には、第１電流路１１の他端１１ｂは、第１コネクタ５と第２コネクタ６とが正常に嵌合した状態において、第３電流路１３の一端１３ａと接続する。第１電流路１１の具体的な構成については、後述する。
【００３７】
第２電流路１２は、導通検査対象物２が有する３つの電気的接続装置４のそれぞれに対応して設けられている。すなわち、本実施形態では、３つの第２電流路１２が設けられている。第２電流路１２は、図１に示すように、回路基板３と第１コネクタ５との間に跨って形成された電流路である。第２電流路１２では、その一端１２ａが、詳しくは後述するＰＩＣマイコン４５の第２端子４５ｂに接続されている。一方、第２電流路１２では、他端１２ｂが、第２コネクタ６に設けられた第３電流路１３の他端１３ｂと接続可能である。具体的には、第２電流路１２の他端１２ｂは、第１コネクタ５と第２コネクタ６とが正常に嵌合した状態において、第３電流路１３の他端１３ｂと接続する。第２電流路１２の具体的な構成については、後述する。
【００３８】
第３電流路１３は、３つの電気的接続装置４のそれぞれが有する各第２コネクタ６に設けられた電流路である。すなわち、本実施形態では、３つの第３電流路１３が設けられている。第３電流路１３では、第１コネクタ５と第２コネクタ６とが正常に嵌合した状態において、その一端１３ａが第１電流路１１の他端１１ｂと接続する一方、その他端１３ｂが第２電流路１２の他端１２ｂと接続する。第３電流路１３の具体的な構成については、後述する。
【００３９】
図２は、図１に示す電気的接続装置４の斜視図であって、該電気的接続装置４が有する２つのコネクタ５，６が嵌合してない状態を示す図である。また、図３は、図２において、各コネクタ５，６が有するハウジング２１，３１の図示を省略して示す図であって、図３（Ａ）は、両コネクタ５，６が嵌合する前の状態を示す図、図３（Ｂ）は両コネクタ５，６の嵌合が完了した状態を示す図、である。電気的接続装置４は、２つのコネクタ５，６が互いに嵌合することにより、両者が電気的に接続するように構成されている。なお、図２及び図３では、回路基板３の一部のみを図示している。
【００４０】
なお、以下では、図２及び図３において、説明の便宜上、前と記載された矢印が指示する方向を前側又は前方と称し、後と記載された矢印が指示する方向を後側又は後方と称し、右と記載された矢印が指示する方向を右側と称し、左と記載された矢印が指示する方向を左側と称し、上と記載された矢印が指示する方向を上側又は上方と称し、下と記載された矢印が指示する方向を下側又は下方と称する。
【００４１】
電気的接続装置４は、図２及び図３に示すように、第１コネクタ５と、第２コネクタ６と、を備えている。
【００４２】
［第１コネクタの構成］
第１コネクタ５は、図２及び図３を参照して、第１コネクタハウジング２１と、５つのオス型コンタクト２４〜２８とを備えている。
【００４３】
第１コネクタハウジング２１は、開口部２２を有する略箱状に形成されている。第１コネクタハウジング２１は、絶縁性を有する樹脂によって一体に形成されている。第１コネクタハウジング２１は、開口部２２が後方を向くように、回路基板３に対して固定されている。また、第１コネクタハウジング２１の上壁部には、穴状に形成された被係合部２３が形成されている。この被係合部２３には、第１コネクタ５と第２コネクタ６とが嵌合した状態において、第２コネクタハウジング３１のロック爪３１ａが係合する。
【００４４】
各オス型コンタクト２４〜２８は、金属部材によって棒状に形成された部品である。各オス型コンタクト２４〜２８は、先端部分２９ａが後方へ向かうように、基端部分２９ｂが回路基板３に形成された貫通孔部に貫通した状態で該回路基板３に対して半田付けにより固定される。各オス型コンタクト２４〜２８は、第２コネクタハウジング２１の底部を上下方向に貫通し、その先端側の部分が第２コネクタハウジング２１内に収容される。
【００４５】
オス型コンタクト２８は、図３を参照して、回路基板３に形成された第１電流ライン１４と電気的に接続されている。第１電流ライン１４は、プリント配線によって構成されている。第１電流ライン１４の一端１４ａは、オス型コンタクト２８の基端部分２９ｂに接続されている。一方、第１電流ライン１４の他端は、第１電流路１１の一端１１ａとして設けられていて、図１に示すように、ＰＩＣマイコン４５の第１端子４５ａに接続されている。本実施形態では、オス型コンタクト２８及び第１電流ライン１４によって、第１電流路１１が構成される。なお、図３では、第１電流路１１を破線で模式的に示している。
【００４６】
オス型コンタクト２４は、図３を参照して、回路基板３に形成された第２電流ライン１５と電気的に接続されている。第２電流ライン１５は、プリント配線によって構成されている。第２電流ライン１５の一端１５ａは、オス型コンタクト２４の基端部分２９ｂに接続されている。一方、第２電流ライン１５の他端は、第２電流路１２の一端１２ａとして設けられていて、図１に示すように、ＰＩＣマイコン４５の第２端子４５ｂに接続されている。本実施形態では、オス型コンタクト２４及び第２電流ライン１５によって、第２電流路１２が構成される。なお、図３では、第２電流路１２を破線で模式的に示している。
【００４７】
［第２コネクタの構成］
第２コネクタ６は、図２及び図３を参照して、第１コネクタハウジング３１と、５つのメス型コンタクト３４〜３８とを備えている。
【００４８】
第２コネクタハウジング３１は、絶縁性を有する樹脂によって一体に形成された略直方体状の部材である。第２コネクタハウジング３１内には、左右方向に並ぶ５つのコンタクト収容部が設けられていて、各コンタクト収容部にはメス型コンタクト３４〜３８が収容されている。また、第２コネクタハウジング３１の上壁部には、ロック爪３１ａが形成されている。このロック爪３１ａは、第１コネクタ５と第２コネクタ６とが嵌合した状態において、第１コネクタ５が有する第１コネクタハウジング２１に形成された穴状の被係合部２３に嵌まり込む。これにより、第１コネクタ５と第２コネクタ６とが嵌合した状態において、第２コネクタ６が第１コネクタ５から抜けてしまうことを防止できる。
【００４９】
各メス型コンタクト３４〜３８は、図３（Ａ）を参照して、前後方向に延びる略筒状に形成されたメスコンタクト部４１と、短絡用ケーブル１９及び導電用ケーブルＣにかしめられる部分であるかしめ部４２とを有し、これらが一体に形成されている。各メス型コンタクト３４〜３８のうち、第２コネクタハウジング３１における左右両端側に配置されるメス型コンタクト３４，３８には、図３に示すように、短絡用ケーブル１９の両端がかしめられている。一方、それ以外のメス型コンタクト３５，３６，３７には、図３に示すように、導電用ケーブルＣの一端部がかしめられている。
【００５０】
短絡用ケーブル１９は、比較的長さが短いケーブル部材で構成されている。短絡用ケーブル１９は、各端部が、メス型コンタクト３４，３８のそれぞれに接続されている。この短絡用ケーブル１９は、メス型コンタクト３４，３８とともに、第３電流路１３を形成する。なお、図３では、第３電流路１３を破線で模式的に示している。
【００５１】
電気的接続装置４では、第１コネクタ５と第２コネクタ６とが嵌合することにより、各オス型コンタクト２４〜２８の先端部分２９ａが各メス型コンタクト３４〜３８のメスコンタクト部４１内に挿入される。これにより、図３（Ｂ）に示すように、メス型コンタクト３４とオス型コンタクト２４とが電気的に接続され、メス型コンタクト３５とオス型コンタクト２５とが電気的に接続され、メス型コンタクト３６とオス型コンタクト２６とが電気的に接続され、メス型コンタクト３７とオス型コンタクト２７とが電気的に接続され、メス型コンタクト３８とオス型コンタクト２８とが電気的に接続される。
【００５２】
上述のように、各電気的接続装置４が有する第１コネクタ５と第２コネクタ６とが嵌合することにより、ＰＩＣマイコン４５の第１端子４５ａと第２端子４５ｂとを繋ぐ一連の検査用電流路１０が形成する。この検査用電流路１０は、第１電流路１１、第２電流路、及び第３電流路１３によって構成される。そして、本実施形態では、各電気的接続装置４が有する第１コネクタ５及び第２コネクタ６を嵌合すると、各電気的接続装置４に対応する検査用電流路１０が形成される。本実施形態の導通検査対象物２は、３つの電気的接続装置４を有しているため、各第１コネクタ５と各第２コネクタ６とが嵌合することにより、各電気的接続装置４に対応する３本の検査用電流路１０が形成される。
【００５３】
操作表示機器５０は、Ｂｌｕｅｔｏｏｔｈ通信方式を用いて導通検査対象物２と無線通信を行うことができる。操作表示機器５０としては、例えば、携帯電話、スマートフォン、携帯情報端末、或いはパーソナルコンピュータを挙げることができる。操作表示機器５０には、検査指示側ＢＴモジュール５１と、該検査指示側ＢＴモジュール５１からの信号を検査対象側ＢＴモジュール４６へ送信するためのアンテナ５２とが搭載されている。
【００５４】
［導通検査対象物の導通検査方法］
図４は、導通検査対象物２の導通検査方法に含まれる各工程を示すフローチャートである。以下では、図１に示す導通検査システム１を用いて行われる導通検査方法について説明する。
【００５５】
まず、ステップＳ１では、導通検査対象物２が有する各第２コネクタ６が対応する各第１コネクタ５に嵌合される。これにより、導通検査対象物２の検査準備が行われる。ここで、各コネクタ５，６が正常に嵌合されていれば、第１電流路１１の他端１１ｂと第３電流路１３の一端１３ａとが接続され、且つ第２電流路１２の他端１２ｂと第３電流路１３の他端１３ｂとが接続される。これにより、ＰＩＣマイコン４５における第１端子４５ａと第２端子４５ｂとを繋ぐ一連の検査用電流路１０が形成される。一方、コネクタ５，６が正常に嵌合されていなければ（すなわち、半嵌合状態であれば）、その半嵌合状態のコネクタ５，６については、検査用電流路１０における一部が繋がっていない状態となる。具体的には、第１電流路１１の他端１１ｂと第３電流路１３の一端１３ａとが離間し、且つ第２電流路１２の他端１２ｂと第３電流路１３の他端１３ｂとが離間した状態となる。
【００５６】
次に、ステップＳ２では、ユーザが、操作表示機器５０を適宜、操作して、導通検査対象物２側へ検査指示信号Ｓａを送信する。具体的には、ステップＳ２では、例えば一例として、ユーザが、操作表示機器５０に予めインストールしておいた所定のソフトウェアを起動する。そうすると、操作表示機器５０のディスプレイに検査開始ボタンが表示される。ユーザがその検査開始ボタンを選択して決定することにより、検査指示側ＢＴモジュール５１から検査対象側ＢＴモジュール４６へ検査指示信号Ｓａが送信される。
【００５７】
次に、ステップＳ３では、検査指示信号Ｓａを受信した検査対象側ＢＴモジュール４６が、ＰＩＣマイコン４５へ、各電気的接続装置４に対して導通検査を行うように指示する。そして、ステップＳ３では、ＰＩＣマイコン４５が、各電気的接続装置４に対して導通検査を行う。具体的には、ＰＩＣマイコン４５は、各第１端子４５ａ及び各第２端子４５ｂに微小電圧を印加し、その間を流れる電流値に基づいて第１端子４５ａ及び各第２端子４５ｂの間の抵抗値を算出する。その抵抗値が所定値未満であれば、ＰＩＣマイコン４５は、電気的接続装置４が正常に嵌合していると判定する。一方、その抵抗値が所定値以上であれば、ＰＩＣマイコン４５は、電気的接続装置４が正常に嵌合していない、すなわち半嵌合状態であると判定する。
【００５８】
次に、ステップＳ４では、各電気的接続装置４に対して行われた導通検査の検査結果が操作表示機器５０へ通知される。具体的には、ＰＩＣマイコン４５で検査された各電気的接続装置４の検査結果が、検査対象側ＢＴモジュール４６から検査指示側ＢＴモジュール５１へ、Ｂｌｕｅｔｏｏｔｈ通信方式を用いて通知される。
【００５９】
最後に、ステップＳ５では、操作表示機器５０に検査結果が表示される。具体的には、操作表示機器５０のディスプレイに、各電気的接続装置４の検査結果（導通試験ＯＫ、又は導通試験ＮＧ）が表示される。
【００６０】
［効果］
以上のように、本実施形態に係る導通検査システム１では、ユーザが操作表示機器５０を用いて導通検査の開始を指示すると、Ｂｌｕｅｔｏｏｔｈ通信方式を用いた無線通信によって、検査指示信号Ｓａが、導通検査対象物２に設けられた検査対象側ＢＴモジュール４６に送信される。検査対象側ＢＴモジュール４６が検査指示信号Ｓａを受けると、ＰＩＣマイコン４５が、前記検査対象側ＢＴモジュール４６からの指示を受けて、導通検査対象物２の導通検査を行う。導通検査の検査結果は、Ｂｌｕｅｔｏｏｔｈ通信方式を用いた無線通信によって、検査対象側ＢＴモジュール４６から操作表示機器５０へ通知される。操作表示機器５０には、その検査結果が表示される。
【００６１】
以上のように、導通検査システム１によれば、操作表示機器５０を用いて導通検査の開始を指示するだけで、導通検査対象物２の導通検査が自動的に行われ、且つその検査結果を知ることができる。しかも、導通検査システム１によれば、検査を指示する側の機器である操作表示機器５０と導通検査対象物とをケーブル等で接続することなく、所定の無線通信方式を用いて相互に無線接続することができる。すなわち、導通検査システム１によれば、検査を指示する側の機器５０と導通検査対象物２とを物理的に接続する必要がなくなるため、導通検査を行う際の手間を省くことができる。
【００６２】
従って、導通検査システム１によれば、煩雑な作業を伴うことなく検査対象の電気特性検査を行うことができる。
【００６３】
また、導通検査システム１によれば、検査を指示する側の機器である操作表示機器５０と導通検査対象物２とをケーブル等で接続することなく、汎用的に利用されているＢｌｕｅｔｏｏｔｈ通信方式を用いて相互に無線接続することができる。
【００６４】
また、導通検査システム１によれば、検査対象物が有する第１コネクタ５と第２コネクタ６との嵌合状態を、煩雑な作業を伴うことなく検査することができる。
【００６５】
また、導通検査システム１によれば、第１コネクタ５と第２コネクタ６とが嵌合すると、第１電流路１１、第２電流路１２、及び第３電流路１３で構成された検査用電流路１０が形成される。第１コネクタ５と第２コネクタ６とが正常に嵌合している状態では、上述した各電流路１１，１２，１３の端部同士が接続された一続きの検査用電流路１０が形成される。一方、第１コネクタ５と第２コネクタ６とが正常に嵌合していない状態では、上述した検査用電流路１０の一部（具体的には、第１電流路１１の他端１１ｂと第３電流路１３の一端１３ａとの間、又は第２電流路１２の他端１２ｂと第３電流路１３の他端１３ｂとの間）が開放された状態となる。このような検査用電流路１０の両端（具体的には、第１電流路１１の一端１１ａ及び第２電流路１２の一端１２ａ）に対して導通検査を行うと、２つのコネクタ５，６が正常に嵌合している場合には微小な抵抗値が検出される。一方、２つのコネクタが半嵌合状態である場合には抵抗値が大きくなる。すなわち、導通検査システム１によれば、その抵抗値に応じて導通の有無を判定することで、一対のコネクタ５，６の嵌合状態を適切に検査することができる。
【００６６】
また、導通検査システム１の導通検査対象物２は、複数の第１コネクタ５及び複数の第２コネクタ６を有していて、一対のコネクタ５，６のそれぞれについて導通検査される。すなわち、導通検査システム１によれば、いずれのコネクタ５，６が半嵌合状態であるかを特定することができる。
【００６７】
また、導通検査システム１によれば、汎用的に用いられているケーブルを用いて、第３電流路１３を容易に形成することができる。
【００６８】
また、導通検査システム１によれば、操作表示機器５０を備えた電気特性検査システムを構成することができる。
【００６９】
また、上述した導通検査方法では、ユーザが操作表示機器５０を用いて導通検査の開始を指示すると、Ｂｌｕｅｔｏｏｔｈ通信方式を用いた無線通信によって、検査指示信号Ｓａが、導通検査対象物２に設けられた検査対象側ＢＴモジュール４６に送信される。検査対象側ＢＴモジュール４６が検査指示信号Ｓａを受けると、ＰＩＣマイコン４５が、前記検査対象側ＢＴモジュール４６からの指示を受けて、導通検査対象物２の導通検査を行う。導通検査の検査結果は、Ｂｌｕｅｔｏｏｔｈ通信方式を用いた無線通信によって、検査対象側ＢＴモジュール４６から操作表示機器５０へ通知される。操作表示機器５０には、その検査結果が表示される。
【００７０】
以上のように、上述した導通検査方法によれば、操作表示機器５０を用いて導通検査の開始を指示するだけで、導通検査対象物２の導通検査が自動的に行われ、且つその検査結果を知ることができる。しかも、上述した導通検査方法によれば、検査を指示する側の機器である操作表示機器５０と導通検査対象物とをケーブル等で接続することなく、汎用的に利用されているＢｌｕｅｔｏｏｔｈ通信方式を用いて相互に無線接続することができる。すなわち、上述した導通検査方法によれば、検査を指示する側の機器５０と導通検査対象物２とを物理的に接続する必要がなくなるため、導通検査を行う際の手間を省くことができる。
【００７１】
従って、この方法によると、煩雑な作業を伴うことなく検査対象の電気特性検査を行うことができる。
【００７２】
以上、本発明の実施形態について説明したが、本発明はこれらに限定されるものではなく、本発明の趣旨を逸脱しない限りにおいて種々の変更が可能である。
【００７３】
（１）図５は、変形例に係る導通検査システム１ａの模式図である。上記実施形態に係る導通検査システム１では、導通検査対象物２に設けられた各電気的接続装置４に対して導通検査を行ったが、これに限らない。本変形例に係る導通検査システム１ａでは、導通検査対象物２ａに設けられた複数の電気的接続装置４のそれぞれが全て正常に嵌合した状態において、これら全ての電気的接続装置４について纏めて導通検査が行われる。
【００７４】
本変形例に係る導通検査システム１ａは、上記実施形態に係る導通検査システム１ａと比べて、検査用電流路１０ａの構成が異なっている。上記実施形態では、各電気的接続装置４が正常に嵌合した状態において、各電気的接続装置４に対応する検査用電流路１０が形成された。これに対して、本変形例では、各電気的接続装置４が正常に嵌合した状態において、全ての電気的接続装置４に跨る１本の検査用電流路１０ａが形成される。
【００７５】
具体的には、本変形例に係る導通検査システム１ａは、図５を参照して、第１電流路１６、第２電流路１７、及び複数の第３電流路６０，６１，６２，６３，６４を有している。
【００７６】
第１電流路１６は、回路基板３ａと第１電気的接続装置４ａの第１コネクタ５とに跨って形成された一続きの電流路である。第１電流路１６の一端１６ａは、ＰＩＣマイコン４５の第１端子４５ａに接続されている。一方、第１電流路１６の他端１６ｂは、第１電気的接続装置４ａが正常に嵌合した状態において、第３電流路６０の一端６０ａと接続されている。第１電流路１６は、例えば一例として、回路基板３ａに形成されたプリント配線と、電気的接続装置４ａの第１コネクタ５が有するオス型コンタクトとによって形成される。
【００７７】
第２電流路１７は、回路基板３ａと第３電気的接続装置４ｃの第１コネクタ５とに跨って形成された一続きの電流路である。第２電流路１７の一端１７ａは、ＰＩＣマイコン４５の第２端子４５ｂに接続されている。一方、第２電流路１７の他端１７ｂは、第３電気的接続装置４ｃが正常に嵌合した状態において、第３電流路６４の他端６４ｂと接続されている。第２電流路１７は、例えば一例として、回路基板３ａに形成されたプリント配線と、第３電気的接続装置４ｃの第１コネクタ５が有するオス型コンタクトとによって形成される。
【００７８】
第３電流路６０は、第１電気的接続装置４ａの第２コネクタ６に設けられた一続きの電流路である。第３電流路６０の一端６０ａは、第１電気的接続装置４ａが正常に嵌合した状態において、第１電流路１６の他端１６ｂと接続されている。一方、第３電流路６０の他端６０ｂは、第１電気的接続装置４ａが正常に嵌合した状態において、第３電流路６１の一端６１ａと接続されている。第３電流路６０は、例えば一例として、上記実施形態の場合と同じように、第１電気的接続装置４ａの第２コネクタ６が有する短絡用ケーブルと、該短絡用ケーブルの両端部に設けられた２つのメス型コンタクトとによって形成される。
【００７９】
第３電流路６１は、第１電気的接続装置４ａの第１コネクタ５と、回路基板３ａと、第２電気的接続装置４ｂの第１コネクタ５とに跨って形成された一続きの電流路である。第３電流路６１の一端６１ａは、第１電気的接続装置４ａが正常に嵌合した状態において、第３電流路６０の他端６０ｂと接続されている。一方、第３電流路６１の他端６１ｂは、第２電気的接続装置４ｂが正常に嵌合した状態において、第３電流路６２の一端６２ａと接続されている。第３電流路６１は、例えば一例として、第１電気的接続装置４ａの第１コネクタ５が有するオス型コンタクトと、第２電気的接続装置４ｂの第１コネクタ５が有するオス型コンタクトと、これら２つのオス型コンタクトを電気的に接続する、回路基板３ａに形成されたプリント配線と、によって形成される。
【００８０】
第３電流路６２は、第２電気的接続装置４ｂの第２コネクタ６に設けられた一続きの電流路である。第３電流路６２の一端６２ａは、第２電気的接続装置４ｂが正常に嵌合した状態において、第３電流路６１の他端６１ｂと接続されている。一方、第３電流路６２の他端６２ｂは、第２電気的接続装置４ｂが正常に嵌合した状態において、第３電流路６３の一端６３ａと接続されている。第３電流路６２は、例えば一例として、上記実施形態の場合と同じように、第２電気的接続装置４ｂの第２コネクタ６が有する短絡用ケーブルと、該短絡用ケーブルの両端部に設けられた２つのメス型コンタクトとによって形成される。
【００８１】
第３電流路６３は、第２電気的接続装置４ｂの第１コネクタ５と、回路基板３ａと、第３電気的接続装置４ｃの第１コネクタ５とに跨って形成された一続きの電流路である。第３電流路６３の一端６３ａは、第２電気的接続装置４ｂが正常に嵌合した状態において、第３電流路６２の他端６２ｂと接続されている。一方、第３電流路６３の他端６３ｂは、第３電気的接続装置４ｃが正常に嵌合した状態において、第３電流路６４の一端６４ａと接続されている。第３電流路６３は、例えば一例として、第２電気的接続装置４ｂの第１コネクタ５が有するオス型コンタクトと、第３電気的接続装置４ｃの第１コネクタ５が有するオス型コンタクトと、これら２つのオス型コンタクトを電気的に接続する、回路基板３ａに形成されたプリント配線と、によって形成される。
【００８２】
第３電流路６４は、第３電気的接続装置４ｃの第２コネクタ６に設けられた一続きの電流路である。第３電流路６４の一端６４ａは、第３電気的接続装置４ｃが正常に嵌合した状態において、第３電流路６３の他端６３ｂと接続されている。一方、第３電流路６４の他端６４ｂは、第３電気的接続装置４ｃが正常に嵌合した状態において、第２電流路１７の他端１７ｂと接続されている。第３電流路６４は、例えば一例として、上記実施形態の場合と同じように、第３電気的接続装置４ｃの第２コネクタ６が有する短絡用ケーブルと、該短絡用ケーブルの両端部に設けられた２つのメス型コンタクトとによって形成される。
【００８３】
［導通検査対象物の導通検査方法］
図６は、変形例に係る導通検査システム１が有する導通検査対象物２ａの導通検査方法に含まれる各工程を示すフローチャートである。以下では、図５に示す導通検査システム１を用いて行われる導通検査方法について説明する。
【００８４】
図５に示す導通検査システム１を用いて行われる導通検査方法でも、上記実施形態の場合と同様、導通検査対象物２ａが有する各第２コネクタ６が対応する各第１コネクタ５に嵌合され（ステップＳ１）、その後、ユーザが操作表示機器５０を適宜操作することにより、導通検査対象物２ａ側へ検査指示信号Ｓａが送信される（ステップＳ２）。
【００８５】
次に、ステップＳ３では、ＰＩＣマイコン４５が、第１端子４５ａ及び第２端子４５ｂに微小電圧を印加し、その間を流れる電流値に基づいて第１端子４５ａ及び第２端子４５ｂの間の抵抗値を算出する。その抵抗値が所定値未満であれば、ＰＩＣマイコン４５は、全ての電気的接続装置４ａ，４ｂ，４ｃが正常に嵌合していると判定する。一方、その抵抗値が所定値以上であれば、ＰＩＣマイコン４５は、少なくともいずれかの電気的接続装置４ａ，４ｂ，４ｃが正常に嵌合していない、すなわち半嵌合状態であると判定する。
【００８６】
そして、ステップＳ４では、上記実施形態の場合と同様、導通検査対象物２ａに対して行われた導通検査の検査結果が操作表示機器５０へ通知され、最後に、ステップＳ５では、その導通検査の検査結果が、操作表示機器５０のディスプレイに表示される。
【００８７】
以上のように、本変形例に係る導通検査システム１ａによれば、上記実施形態の場合と同様、Ｂｌｕｅｔｏｏｔｈ通信方式を用いた無線通信によって、操作表示機器５０から導通検査対象物２ａへ導通検査の開始を指示することができる。従って、煩雑な作業を伴うことなく検査対象の電気特性検査を行うことができる。
【００８８】
また、導通検査システム１ａによれば、複数の第１コネクタ５と複数の第２コネクタ６とが嵌合すると、第１電流路１６、第２電流路１７、及び複数の第３電流路６０，６１，６２，６３，６４で構成された導通検査用の電流路１０ａが形成される。全ての第１コネクタ５と第２コネクタ６とが正常に嵌合している状態では、上述した各電流路の端部同士が接続された一続きの検査用電流路１０ａが形成される。一方、導通検査対象物２ａが有する複数の第１コネクタ５及び複数の第２コネクタ６のうちいずれか１つでも正常に嵌合していない状態では、上述した検査用電流路１０の一部が開放された状態となる。このような検査用電流路１０の両端（具体的には、第１電流路１６の一端１６ａ及び第２電流路１７の一端１７ａ）に対して導通検査を行うと、全てのコネクタ５，６が正常に嵌合している場合には微小な抵抗値が検出される。一方、複数のコネクタ５，６のうちいずれか１つでも半嵌合状態である場合には抵抗値が大きくなる。すなわち、導通検査システム１ａによれば、複数のコネクタ５，６の嵌合状態を一度に纏めて検査することができる。
【００８９】
（２）図７は、変形例に係る電気特性検査システム１ｂの模式図である。上記実施形態に係る導通検査システム１では、電気的接続装置４の嵌合状態を検査したが、これに限らない。本変形例に係る電気特性検査システム１ｂでは、検査対象物２ｂの回路基板３ｂに設けられた電気回路部７の電気特性が検査される。具体的には、例えば一例として、ＰＩＣマイコン４５の端子４５ｃ，４５ｄと、電気回路部７における所定の端子６５ａ，６５ｂとを電気的に接続し、端子６５ａ及び端子６５ｂの間の抵抗値を測定することにより、電気回路部７が有する各実装部品が正しく実装されているかどうかを判定することができる。
【００９０】
（３）図８は、変形例に係る電気特性検査システム１ｃの模式図である。図７を用いて説明した電気特性検査システム１ｂでは、１つの回路基板３ｃに設けられた電気回路部７の電気特性を検査する例を挙げて説明したが、これに限らない。
【００９１】
図８に示す電気特性検査システム１ｃでは、検査対象物２ｃが複数の回路基板３ｃ，３ｄ，３ｅを有していて、各回路基板３ｃ，３ｄ，３ｅには、電気回路部７ａ，７ｂ，７ｃが設けられている。また、本変形例におけるＰＩＣマイコン４５の各端子４５ｃ，４５ｄは、各電気回路部７ａ，７ｂ，７ｃに設けられた所定の端子６５ａ，６５ｂと電気的に接続されている。
【００９２】
そして、本変形例に係る電気特性検査システム１ｃでは、ユーザが操作表示機器５０を用いて電気特性検査の開始を指示すると、ＰＩＣマイコン４５が、各電気回路部７ａ，７ｂ，７ｃの電気特性検査を行う。具体的には、例えば一例として、ＰＩＣマイコン４５が各電気回路部７ａ，７ｂ，７ｃの端子６５ａ及び端子６５ｂの間の抵抗値を測定する。これにより、各電気回路部７ａ，７ｂ，７ｃが有する各実装部品が正しく実装されているかどうかを判定することができる。
【００９３】
（４）図９は、変形例に係る電気特性検査システム１ｄの模式図である。図７を用いて説明した電気特性検査システム１ｂでは、１つの回路基板３ｃに設けられた電気回路部７の電気的特性を検査する例を挙げて説明したが、これに限らない。
【００９４】
図９に示す電気特性検査システム１ｄでは、検査対象物２ｄが複数の回路基板３ｃ，３ｄ，３ｅを有している。各回路基板３ｃ，３ｄ，３ｅには、検査対象側ＢＴモジュール４６、アンテナ４７、ＰＩＣマイコン４５、及び電気回路部７ｄ，７ｅ，７ｆが設けられている。本変形例におけるＰＩＣマイコン４５の各端子４５ｃ，４５ｄは、各電気回路部７ａ，７ｂ，７ｃに設けられた所定の端子６５ａ，６５ｂと電気的に接続されている。
【００９５】
そして、本変形例に係る電気特性検査システム１ｄでは、ユーザが操作表示機器５０を用いて電気特性検査の開始を指示すると、各ＰＩＣマイコン４５が対応する各電気回路部７ｄ，７ｅ，７ｆの電気特性検査を行う。具体的には、回路基板３ｆに設けられたＰＩＣマイコン４５が、電気回路部７ｄの端子６５ａ，６５ｂ間の抵抗値を測定し、回路基板３ｇに設けられたＰＩＣマイコン４５が、電気回路部７ｅの端子６５ａ，６５ｂ間の抵抗値を測定し、回路基板３ｈに設けられたＰＩＣマイコン４５が、電気回路部７ｆの端子６５ａ，６５ｂ間の抵抗値を測定する。これにより、各電気回路部７ｄ，７ｅ，７ｆが有する各実装部品が正しく実装されているかどうかを判定することができる。
【００９６】
（５）上述した実施形態では、図３（Ａ）を参照して、第２コネクタ６に設けられる第３電流路１３の一部として、短絡用ケーブル１９を用いる例を挙げて説明したが、これに限らない。具体的には、例えば一例として、短絡用ケーブル１９に代えて、プレス加工等によって形成された金属部材を用いてもよい。このように、第３電流路１３の一部として金属部材を採用すれば、金属部材をプレス加工によって形成することにより、所望の形状を有する第３電流路を容易に形成することができる。
【産業上の利用可能性】
【００９７】
本発明は、検査対象物の電気特性検査を行うための電気特性検査システム、及び電気特性検査方法に広く適用することができる。
【符号の説明】
【００９８】
１，１ａ              導通検査システム（電気特性検査システム）
１ｂ，１ｃ，１ｄ      電気特性検査システム
２，２ａ              導通検査対象物（検査対象物）
２ｂ，２ｃ，２ｄ      検査対象物
４５                  ＰＩＣマイコン（検査制御部）
４６                  検査対象側ＢＴモジュール（無線通信用モジュール）
５０                  操作表示機器
【図１】
2018084456.tif 000003
【図２】
2018084456.tif 000004
【図３】
2018084456.tif 000005
【図４】
2018084456.tif 000006
【図５】
2018084456.tif 000007
【図６】
2018084456.tif 000008
【図７】
2018084456.tif 000009
【図８】
2018084456.tif 000010
【図９】
2018084456.tif 000011